(57)【要約】【課題】水槽内での泡切れを良くし、給水量を最小にしつつポンプの動作不良を低減できる技術の実現。【解決手段】本発明に係る排水装置は、底面部１１と側壁部１２を有し上端部１３が開口した水槽３と、前記水槽内の液体を取り込むことで外部から泡沫性液体を吸引し、前記泡沫性液体との混合液を前記水槽内に排水するポンプ２と、を有し、前記水槽の側壁部の一部に他の側壁部より低くなるよう傾斜した泡切り部１２ａを形成し、前記水槽内に水を供給し続けて前記水槽内の液体の上層部に浮遊する泡部分１４を前記泡切り部を介して排出する。【選択図】図１
2008212797.tif 000002
【特許請求の範囲】
【請求項１】
底面部と側壁部を有し上端部が開口した水槽と、
前記水槽内の液体を取り込むことで外部から泡沫性液体を吸引し、前記泡沫性液体との混合液を前記水槽内に排水するポンプと、を有し、
前記水槽の側壁部の一部に他の側壁部より低くなるよう傾斜した泡切り部を形成し、前記水槽内に水を供給し続けて前記水槽内の液体の上層部に浮遊する泡部分を前記泡切り部を介して排出することを特徴とする排水装置。
【請求項２】
前記泡切り部より高く形成され、前記水槽を、前記ポンプが配置される第１槽と前記泡切り部が形成された第２槽とに仕切る仕切壁部を設け、
前記仕切壁部の下端部と前記底面部とは隙間を持って連通され、
前記ポンプと前記第２槽とを配管で接続し、当該ポンプから直接前記第２槽に前記混合液を排出することを特徴とする請求項１に記載の排水装置。
【請求項３】
前記泡沫性液体は、検査済みのビールサンプルであることを特徴とする請求項１又は２に記載の排水装置。
【発明の詳細な説明】
【技術分野】
【０００１】
本発明は、例えば、微生物検査等の際にろ過器に通すためにポンプにより吸引したビールサンプルを排出するための排水装置に関する。
【背景技術】
【０００２】
例えば、特許文献１には、エアレーションにより界面活性剤等の不要成分を泡沫化して系外に排出する技術が記載されている。また、特許文献２には、処理水をエアで撹拌して泡沫化して浮上させた固形物を越流させて分離する構成が記載されている。
【特許文献１】特開平０７−０００９４８号公報
【特許文献２】特開２００３−３０５４５６号公報
【発明の開示】
【発明が解決しようとする課題】
【０００３】
また、従来はポンプにより吸引したビールサンプルを排出する排水槽の容量が小さいと、排水槽に吸引した時点で直ぐに泡が発生するため、泡がポンプに噛み込んで吸引力が低下してしまう。これを防止するためには水槽への給水量を多くする必要がある。また、水槽が複数ある場合には給水量も水槽の数分だけ増加し、設置スペースの問題も発生する。
【０００４】
本発明は、上記課題に鑑みてなされ、その目的は、水槽内での泡切れを良くし、給水量を最小にしつつポンプの動作不良を低減できる技術を実現することである。
【課題を解決するための手段】
【０００５】
上述の課題を解決し、目的を達成するため、本発明に係る排水装置は、底面部１１と側壁部１２を有し上端部１３が開口した水槽３と、前記水槽内の液体を取り込むことで外部から泡沫性液体を吸引し、前記泡沫性液体との混合液を前記水槽内に排水するポンプ２と、を有し、前記水槽の側壁部の一部に他の側壁部より低くなるよう傾斜した泡切り部１２ａを形成し、前記水槽内に水を供給し続けて前記水槽内の液体の上層部に浮遊する泡部分１４を前記泡切り部を介して排出する。
【０００６】
また、好ましくは、前記泡切り部より高く形成され、前記水槽を、前記ポンプが配置される第１槽３ａと前記泡切り部が形成された第２槽３ｂとに仕切る仕切壁部１５を設け、前記仕切壁部の下端部と前記底面部とは隙間を持って連通され、前記ポンプと前記第２槽とを配管１６で接続し、当該ポンプから直接前記第２槽に前記混合液を排出する。
【０００７】
また、好ましくは、前記泡沫性液体は、検査済みのビールサンプルである。
【発明の効果】
【０００８】
本発明によれば、水槽内での泡切れを良くし、給水量を最小にしつつポンプの動作不良を低減することができる。
【発明を実施するための最良の形態】
【０００９】
以下に、本発明の実施の形態について、添付図面を参照して詳細に説明する。
尚、以下に説明する実施の形態は、本発明の実現手段としての一例であり、本発明は、その趣旨を逸脱しない範囲で下記実施形態を修正又は変形したものに適用可能である。
【００１０】
図１は本発明に係る実施形態の排水装置の全体構成を簡略化して示す図である。図２は、本実施形態の排水装置による排水方法を説明する図（ａ）及び排水装置の外観図（ｂ）である。
【００１１】
図１及び図２に示すように、本実施形態の排水装置は、例えば、微生物検査等のためにビールサンプルをろ過器１に通すために、注いだビールサンプルをポンプ２により吸引して排出するものである。ろ過器１はビールサンプルを注ぎ入れるカップ１ａ、ビールをろ過するメンブラン１ｂ、メンブラン１ｂを保持するホルダー１ｃ、メンブラン１ｂと排水路４とを連通又は遮断するバルブ１ｄからなる。ろ過器１は処理するサンプル数に応じて単数又は複数で使用される。サンプル中に微生物が存在すればメンブラン１ｂ上に捕集されるので、その後培養、染色等の工程を経て微生物の有無が検査される。ろ過器１は外部と隔離されて室内が所定の雰囲気に管理された検査室内に設置され、外部に設置された排水槽３に対して排水路４を介して接続されている。また、排水槽３には、ポンプ２が吸引力を発生するために取り込む水が供給される。
【００１２】
本実施形態では、１つの排水槽３に対して１本の排水路４が対応し、１本の排水路４に対して複数のろ過器１が接続されて１系統の排水システムを構成している。
【００１３】
排水槽３は、底面部１１と側壁部１２を有し上端部１３が開口した容器を構成している。排水槽３には外部から槽内に供給される水を取り込むことでろ過器１からビールサンプル（泡沫性液体）を吸引し、ビールサンプルと水との混合液を排水槽３内に排水するポンプ２が設置される。
【００１４】
排水槽３には、その側壁部１２の一部に他の側壁部より低くなるよう傾斜した泡切り部１２ａが形成されている。泡きり部１２ａは、その側壁部の上端部を中央に向かうほど低くなるよう傾斜して形成され、中央部が最も低く形成されている。
【００１５】
そして、排水槽３内に水を供給しながら、排水槽３内で下層部の混合液と分離して上層部に浮遊する泡部分１４が泡切り部１２ａを介して排出される。
【００１６】
このように排水槽３に泡切れ部１２ａを形成したことにより、排水槽３の上層部に発生する泡部分１４を素早く槽外に排出できるので、ポンプ２が泡部分１４を噛み込むことによって吸引力が低下することを防止する。また、従来のように排水槽３への給水量を多くする必要がなくなり、例えば、従来の給水量２４００ｍ3から８００ｍ3程度にまで約６７％の給水量の削減が実現できる。
【００１７】
［変形例］
図３は、本実施形態の変形例の排水装置を示す図である。
【００１８】
図３において、変形例の排水装置は、排水槽３をポンプ２が配置される第１槽３ａと泡切り部１２ａが形成された側壁部１２を有する第２槽３ｂとに仕切る仕切壁部１５が設けられている。仕切壁部１５は、泡切り部１２ａが形成されていない側壁部の上端部よりも高く形成されており、仕切壁部１５の下端部と底面部１１とは隙間を持って連通されている。そして、ポンプ２の排出口と第２槽３ｂとを排出管１６により接続し、ポンプ２から排出管１６を介して直接第２槽３ｂに混合液が排出されるように構成されている。
【００１９】
このように排水槽３を仕切壁部１５で２槽に仕切り、各槽を下端部のみで連通して構成することで、第２槽３ｂのみに泡部分１４が溜まるので、第１槽３ａに設置されたポンプ２が泡部分１４を噛み込むことによって吸引力が低下することを防止する。また、第２槽３ｂ内の水は下端部を介して第１槽３ａに還流するので給水量の削減も可能となる。更に、排水槽全体に泡が広がることを防止できる。
【００２０】
尚、上記各実施形態において、１つの排水槽に対して２つ以上のポンプを設置してもよい。
【産業上の利用可能性】
【００２１】
以上説明した排水装置は、ビールサンプルに限られず、本発明の趣旨を逸脱しない範囲で他の泡沫性液体の排水にも適用可能である。
【図面の簡単な説明】
【００２２】
【図１】本発明に係る実施形態の排水装置の全体構成を示す図である。
【図２】本実施形態の排水装置及び排水方法を説明する図（ａ）及び排水装置の外観図（ｂ）である。
【図３】本実施形態の変形例の排水装置及び排水方法を説明する図である。
【符号の説明】
【００２３】
１  ろ過器
１ａ  カップ
１ｂ  メンブラン
１ｃ  ホルダー
１ｄ  バルブ
２  ポンプ
３，３ａ，３ｂ  排水槽
４  排水路
１１  底面部
１２  側壁部
１２ａ  泡切り部
１３  上端部
１４  泡部分
１５  仕切壁部
１６  排出管
【図１】
2008212797.tif 000003
【図２】
2008212797.tif 000004
【図３】
2008212797.tif 000005